(57)【要約】【課題】融雪溝において、流水が雪塊でせき止められて投入口から溢れ出るのを防止し、溝内に投入した雪塊を流水で融かして確実に流し去ることができる溝蓋構造を提供する。併せて、融雪溝をより低コストで構築できるようにする。【解決手段】雪投入口５に設けた蓋受段部７で支持される蓋枠８と、蓋枠８で揺動開閉可能に軸支される一対のグレーチング蓋９・９と、グレーチング蓋９の下方を覆う落下防止柵１０と、落下防止柵１０の下方に配置される浸漬フェンス１１とで構成する。浸漬フェンス１１は、融雪溝内の流水の通過は許すが、雪塊の通過は阻止できる網体２８を含んでいる。浸漬フェンス１１は、落下防止柵１０の下面から下流側にわたって配置して、そのフェンス面と雪投入口５に隣接する暗渠４との間に、流水の通り抜けを許す迂回水路Ｇを確保する。【選択図】　　　　図１
2004044279.tif 000002
【特許請求の範囲】
【請求項１】
融雪溝の上面に開口した雪投入口５に適用される溝蓋構造であって、
雪投入口５の開口内面に設けた蓋受段部７で受け止め支持される蓋枠８と、蓋枠８で揺動開閉可能に軸支される一対のグレーチング蓋９・９と、雪投入時に開放操作される少なくとも片方のグレーチング蓋９の下方を覆う落下防止柵１０と、落下防止柵１０の下方に配置される、通水可能な平板状の浸漬フェンス１１とで構成されており、
浸漬フェンス１１は、開口した雪投入口５の下流側にわたって配置されて、そのフェンス面が、雪投入口５に隣接する暗渠４と一定間隔を隔てて対向する状態で配置されており、
前記暗渠４と浸漬フェンス１１のフェンス面との間に、流水の通り抜けを許す迂回水路Ｇが確保されていることを特徴とする融雪溝用の溝蓋構造。
【請求項２】
蓋枠８が、蓋受段部７で受け止め支持される第１枠１３と、第１枠１３の上面に固定される第２枠１４とを含み、
グレーチング蓋９は、第２枠１４に揺動軸１８を介して開閉揺動可能に支持され、グレーチング蓋９が雪投入口５を塞ぐ閉じ状態において暗渠４と面一状に支持されており、
落下防止柵１０は、第１枠１３に設けた柵受ブラケット２４に支持されて、雪投入口５の内面を上下に区分しており、
浸漬フェンス１１は、融雪溝内の流水の通過は許すが、雪塊の通過は阻止できる網体２８を含んで形成され、ブラケット２９を介して第１枠１３に装着されている請求項１記載の融雪溝用の溝蓋構造。
【請求項３】
浸漬フェンス１１が、これの左右端に固定した一対のブラケット２９を介して第１枠１３にボルト３３で締結固定されており、
両ブラケット２９には、前後方向のスライド溝３５が形成されており、
浸漬フェンス１１は、スライド溝３５を介して第１枠１３にねじ込んだボルト３３で支持されており、
浸漬フェンス１１は、そのフェンス面が落下防止柵１０の下面を覆う使用姿勢と、フェンス面の殆どが暗渠４の下面側へもぐり込む開放姿勢とにスライド変位できる請求項１または２記載の融雪溝用の溝蓋構造。
【請求項４】
一対のグレーチング蓋９・９のそれぞれが、蓋枠８の対向辺部に設けた揺動軸１８を介して揺動開閉可能に支持されて、両グレーチング蓋９・９が観音開き状に開閉できる請求項１〜３のいずれかに記載の融雪溝用の溝蓋構造。
【請求項５】
一対のグレーチング蓋９・９のそれぞれが、蓋枠８の共通辺部に沿って設けた１個の揺動軸１８を介して開閉揺動可能に支持されて、両グレーチング蓋９・９が同じ向きに開閉できる請求項１〜３のいずれかに記載の融雪溝用の溝蓋構造。
【発明の詳細な説明】
【０００１】
【発明の属する技術分野】
屋根から降ろした雪や、除雪されて道路脇に積まれた雪を、側溝内の流水によって流し去り、あるいは流水で融かしてシャーベット状にしたうえで排出する融雪溝がある。本発明は、このような融雪溝に適用される溝蓋構造に関する。
【０００２】
【従来の技術】
一般的な融雪溝においては、溝内を流れる流水で雪塊を融かして流し去るが、雪塊の投入量が多い場合に、融かしきれない雪塊によって溝内の流水がせき止められ、雪投入口から流水が溢れ出て浸水事故を生じることがある。雪投入口は開閉できる溝蓋で塞いであるが、この溝蓋がグレーチング状に形成してあるため、溝蓋自体では流水が溢れ出るのを止めることはできないからである。
【０００３】
このような浸水事故を防ぐために、図９および図１０に示す融雪溝が使用されている。図９では、流水のみが流れる水通路４０を溝底に凹み形成し、水通路４０の上面を溝底と面一になる網体４１で覆っている。この種の融雪溝では、投入された雪をせき止めるための雪止め板を溝内に設けて、流水による融雪を促進することもある。図１０においては、融雪溝の左右側壁に水通路４０を凹み形成し、各水通路４０の開口面を溝側壁と面一になる網体４１で覆っている。いずれの場合にも、溝内部に水通路４０を確保することにより、流水が雪でせき止められるのを防いで、流水が融雪溝の外へ溢れ出るのを解消している。
【０００４】
【発明が解決しようとする課題】
図９に示す前者の融雪溝では、雪塊を網体４１で受け止めて水通路４０から分離するので、流水が雪でせき止められることはない。従って、溢水事故を防止できる。しかし、多くの場合は、網体４１に面した雪塊を流水で融かすことはできるが、溝上部の雪塊に流水を接触させることができず、溝内の雪塊は空洞化した状態で堆積しているに過ぎない。そのため、溝に投入される雪の量が多いと、流水による融雪作用が極端に低下し、雪塊を水通路４０内の流水によって効果的に流し去ることができない。水通路４０を備えた専用の側溝ブロックで融雪溝を構築する必要があるので、その分だけ融雪溝の構築コストが嵩む不利もある。
【０００５】
この点、図１０に示す融雪溝は、水通路４０が溝の両側壁に形成してあるので、流水が溝から溢れるのを避けながら、溝内に投入された雪塊を効果的に融かすことができる。問題は、特別仕様のコンクリート製の側溝ブロックで融雪溝を構築し、さらに水通路４０を仕切るための網体を水路全体に敷設する必要があるので、融雪溝を構築するための全体コストが高く付く点にある。
【０００６】
本発明の目的は、融雪溝の随所に設けられる雪投入口を塞ぐのに好適なグレーチング構造の溝蓋構造を提供することにある。本発明の目的は、融雪溝が一般的な構造の側溝ブロックで形成してある場合であっても、流水が雪塊でせき止められて投入口から溢れ出るのを防止でき、溝内に投入した雪塊を流水で融かして確実に流し去ることができる溝蓋構造を提供することにある。本発明の目的は、融雪溝の構築コストが小さくて済み、既存の融雪溝の雪投入口に適用することにより、溝内に投入された雪塊を流水で融かして確実に流し去ることができる溝蓋構造を提供することにある。
【０００７】
【課題を解決するための手段】
本発明の溝蓋構造は、融雪溝の上面に開口した雪投入口５に適用され、図１に示すように、雪投入口５の開口内面に設けた蓋受段部７で受け止め支持される蓋枠８と、蓋枠８で揺動開閉可能に軸支される一対のグレーチング蓋９・９と、雪投入時に開放操作される少なくとも片方のグレーチング蓋９の下方を覆う落下防止柵１０と、落下防止柵１０の下方に配置される、通水可能な平板状の浸漬フェンス１１とで構成されている。浸漬フェンス１１は、開口した雪投入口５の下流側にわたって配置されて、そのフェンス面が雪投入口５に隣接する暗渠４と一定間隔を隔てて対向する状態で配置されており、前記暗渠４と、暗渠４に対向する浸漬フェンス１１のフェンス面との間に、流水の通り抜けを許す迂回水路Ｇが確保されていることを特徴とする。
【０００８】
前記蓋枠８は、図２に示すように蓋受段部７で受け止め支持される第１枠１３と、第１枠１３の上面に固定される第２枠１４とを含み、グレーチング蓋９は、第２枠１４に揺動軸１８を介して開閉揺動可能に支持されて、グレーチング蓋９が雪投入口５を塞ぐ閉じ状態において暗渠４と面一状に支持されている。落下防止柵１０は、第１枠１３に設けた柵受ブラケット２４に支持されて、雪投入口５の内面を上下に区分している。浸漬フェンス１１は、融雪溝内の流水の通過は許すが、雪塊の通過は阻止できる網体２８を含んで形成され、ブラケット２９を介して第１枠１３に装着されている。
【０００９】
浸漬フェンス１１は、これの左右端に固定した一対のブラケット２９を介して第１枠１３にボルト３３で締結固定されており、両ブラケット２９には、図６および図７に示すごとく前後方向のスライド溝３５が形成されており、浸漬フェンス１１は、スライド溝３５を介して第１枠１３にねじ込んだボルト３３で支持されている。そして、浸漬フェンス１１は、図６に示すごとくそのフェンス面が落下防止柵１０の下面を覆う使用姿勢と、フェンス面の殆どが暗渠４の下面側へもぐり込む開放姿勢とにスライド変位できるようになっている。
【００１０】
一対のグレーチング蓋９・９のそれぞれは、図１に示すごとく蓋枠８の対向辺部に設けた揺動軸１８を介して揺動開閉可能に支持されて、両グレーチング蓋９・９を観音開き状に開閉できるようにすることができる。
【００１１】
また、一対のグレーチング蓋９・９のそれぞれは、図８に示すごとく蓋枠８の共通辺部に沿って設けた１個の揺動軸１８を介して開閉揺動可能に支持されて、両グレーチング蓋９・９が同じ向きに開閉できるようにすることができる。
【００１２】
【発明の作用効果】
本発明では、蓋枠８と、グレーチング蓋９・９と、グレーチング蓋９の下方を覆う落下防止柵１０と、落下防止柵１０の下方に配置される浸漬フェンス１１とからなる。このうち浸漬フェンス１１は、開口した雪投入口５の下流側にわたって配置することにより、前記暗渠４と浸漬フェンス１１のフェンス面との間に流水の通り抜けを許す迂回水路Ｇが確保されている。従って、雪投入口５から投入される雪塊は、落下防止柵１０で細片化して流水に投下できるので、溝内に投入した雪塊を流水で融かして確実に流し去ることができる。
【００１３】
雪投入口５より下流側に迂回水路Ｇが確保されているので、雪投入口５から投入した雪や、上流側から流れてきた雪が溝内に詰まって流水の水位が上がったとしても、せきとめられた流水は浸漬フェンス１１を通り抜けて迂回水路Ｇを下流側へ流下するので、流水が雪投入口５から溢れ出ることはない。溝に投入される雪の量が多い場合でも、雪に空洞が生じて流水による融雪作用が極端に低下するのを解消して、雪塊を流水によって効果的に流し去ることができる。
【００１４】
溝蓋構造に浸漬フェンス１１を設けて、そのフェンス面と暗渠４との間に迂回水路Ｇが確保されているので、底面や側壁に水通路を設け、その開口面を網体で覆う従来の側溝ブロックとは異なり、融雪溝１をより低コストで構築できる。更に、既存の融雪溝に本発明の溝蓋構造を適用するだけで、流水が雪塊でせき止められて投入口から溢れ出るのを防止しながら、溝内に投入した雪塊を流水で融かして確実に流し去ることができる。
【００１５】
蓋受段部７で受け止め支持される第１枠１３と、第１枠１３の上面に固定される第２枠１４とで蓋枠８を構成し、グレーチング蓋９が揺動軸１８を介して第２枠１４で開閉揺動可能に支持された溝蓋構造によれば、蓋受段部７の深さ寸法に応じて第１枠１３の高さ寸法を調整することにより、グレーチング蓋９が雪投入口５を塞いだ状態において、その表面を暗渠４と面一状に支持できる。従って、メーカーの違いなどによって蓋受段部７の深さ寸法が異なる場合にでも、第１枠１３の高さ寸法を変更するだけで本発明の溝蓋構造を問題なく適用でき、溝蓋構造の部分変更に要する構築コストが少なくて済む利点を有する。
【００１６】
蓋枠８は蓋受段部７に載置するだけで使用できるので、蓋枠をアンカーボルト等で側溝ブロック２に固定する場合に比べて、側溝ブロック２をより簡単に製造でき、その製造コストも少なくて済む。網体２８で構成した浸漬フェンス１１によれば、その全体重量が軽くなり、かつ浸漬フェンス１１を低コストで形成できる。
【００１７】
浸漬フェンス１１は、第１枠１３に対してそのフェンス面が落下防止柵１０の下面を覆う使用姿勢と、フェンス面の殆どが暗渠４の下面側へもぐり込む開放姿勢とにスライド変位できるように支持されていると、必要に応じて浸漬フェンス１１を開放姿勢にスライド操作して、雪投入口５の内面のほぼ全体を開放できるので、融雪溝内を清掃する際に浸漬フェンス１１が邪魔にならない。従って清掃作業を簡便に行える。
【００１８】
第１枠１３に固定した浸漬フェンス１１は、第１枠１３の構造強度を増強する補強枠としても機能し、その分だけ溝蓋構造の耐久性が向上する。流水の表層に浮かんでいる雪によって浸漬フェンス１１が押し上げられようとする場合にも、浸漬フェンス１１は蓋枠８で確りと受け止められて迂回水路Ｇを確実に確保できる。
【００１９】
一対のグレーチング蓋９・９が観音開き状に開閉できるようにした溝蓋構造によれば、融雪水路を挟む両側から雪塊を雪投入口５へ投入できて有利である。
【００２０】
一対のグレーチング蓋９・９を同じ向きに開閉できるようにした溝蓋構造によれば、一対のグレーチング蓋９・９を１個の揺動軸１８で軸支できるので、その分だけグレーチング蓋９の軸支構造が簡素化する。
【００２１】
【実施例】
図１ないし図５は本発明に係る実施例１を示す。図２において符号１は融雪溝である。この融雪溝１はコンクリート製の暗渠型の側溝ブロック２と、その下面を塞ぐ平板状のインパートコンクリート３とで構成されている。側溝ブロック２は図１に示すごとく上面が天井壁（暗渠）４で塞がれて下向きに開口しており、天井壁４の長手方向中途部に雪投入口５が開口している。この雪投入口５を本発明の溝蓋構造で塞ぐことになる。
【００２２】
図１ないし図３において溝蓋構造は、雪投入口５の開口内面の左右に設けた蓋受段部７で受け止め支持される蓋枠８と、蓋枠８で揺動開閉可能に軸支される前後一対のグレーチング蓋９と、グレーチング蓋９の下方を覆う落下防止柵１０と、落下防止柵１０の下方に配置される浸漬フェンス１１とからなる。
【００２３】
図２において蓋枠８は、蓋受段部７に載置される、断面四角形の角管からなる左右一対の第１枠１３と、第１枠１３の上面に溶接した第２枠１４とで構成されている。第２枠１４は左右一対のアングル材と、アングル材どうしを繋ぐ帯板材を四角形に組んで構成してあり、図４に示すように長辺部の内側に張出される底壁１４ａでグレーチング蓋９を受け止め支持する。後述するように、落下防止柵１０および浸漬フェンス１１は、第１枠１３を利用して支持する。
【００２４】
図３において各グレーチング蓋９は、左右一対の端板１５と、両端板１５の間に一定間隔おきに配置して溶接した断面Ｉ字状のメインバー１６と、一群のメインバー１６の上面に埋設する状態で溶接したクロスバー１７とで格子枠状に構成してある。
【００２５】
各グレーチング蓋９は、それぞれ第２枠１４の短辺部に隣接する蓋側面が揺動軸１８を介して支持されて観音開き状に開閉できる。詳しくは、図５に示すように先の蓋側面に溶接した軸受筒１９と、第２枠１４のアングル材の両端内面に固定したボス２０とに揺動軸１８を挿通して、各グレーチング蓋９を第２枠１４に揺動開閉自在に軸支している。符号２１はゴムキャップ、２３は氷結防止用のパッキンである。
【００２６】
グレーチング蓋９は、全体が前記底壁１４ａで受け止められる閉じ位置と、閉じ位置から９０度を越えて起立する開放位置との間で開閉でき、図２に示すように閉じ状態において、その上面が側溝ブロック２の天井壁４と面一になるように、先の第１枠１３の上下高さを調整してある。両蓋９・９の隣接側縁寄りの中央には、開閉操作用の把手２２が設けてある。
【００２７】
図３において落下防止柵１０は、鋼線材を長方形の格子状に組んで構成してあり、その縦横寸法は蓋枠８の内法開口寸法よりひとまわり小さく寸法設定してある。落下防止柵１０は、グレーチング蓋９と同様に揺動開閉自在に支持するが、その開閉方向はグレーチング蓋９の開閉方向と直交している。
【００２８】
詳しくは、図４に示すように左右一対の第１枠１３の対向面に前後一対ずつ柵受ブラケット２４を固定し、片方の柵受ブラケット２４と落下防止柵１０の長辺部の前後２箇所とをヒンジ２５で連結して、落下防止柵１０をヒンジ２５まわりに開閉できる。落下防止柵１０を倒し込んで、その揺動先端が片方の柵受ブラケット２４で受け止められた状態では、全体が水平に支持されて雪投入口５の内面を上下に区分している。落下防止柵１０は、文字通り人や道具が側溝内へ落下するのを防止するために設けるが、雪を投入する際には、雪塊を格子の大きさに砕いて、融けやすい状態で落下させることにも役立っている。
【００２９】
雪投入口５から投入した雪、あるいは上流側から流れてきた雪が溝内に詰まって流水がせきとめられた場合に、せきとめられた流水が雪投入口５から溢れ出るのを防止するために浸漬フェンス１１を設け、流水の通り抜けを許す迂回水路Ｇが確保されている。
【００３０】
図１、図２および図４において、浸漬フェンス１１は、アングル材からなる左右一対の側枠２７と、両側枠２７を骨材にして鋼線材を格子状に組んだ網体２８と、両側枠２７の側面前後に固定した一対の取付ブラケット２９とで前後に長い長方形状に形成してある。このように浸漬フェンス１１のフェンス面の殆どが格子状の網体２８で形成されていると、流水はフェンス面を自由に通過できるが、雪塊は網体２８に下面に受け止められて通過が阻止される。因みに網体２８の格子寸法は先の落下防止柵１０の格子間隔より小さく設定してある。
【００３１】
浸漬フェンス１１は、落下防止柵１０の下面から下流側（図１の矢印Ｐ方向）にわたって配置して、そのフェンス面が雪投入口５に隣接する天井壁４と一定間隔を隔てて対向するように固定する。
【００３２】
詳しくは、図１に示すごとく浸漬フェンス１１の前半分のフェンス面が、流水の下流側に位置するグレーチング蓋９の真下に位置し、残る後ろ側のフェンス面が、雪投入口５より下流側の天井壁４と対向する状態で、浸漬フェンス１１を第１枠１３に固定する。
【００３３】
図４に示すように、第１枠１３の対向面の前後には断面Ｌ字形の支持ブラケット３１を溶接し、その下面にナット３２を溶接してあり、支持ブラケット３１の上面に接合した取付ブラケット２９をナット３２にねじ込まれるボルト３３で締結することにより、浸漬フェンス１１を第１枠１３に固定支持して、天井壁４とフェンス面との間に流水の通り抜けを許す迂回水路Ｇを確保する。浸漬フェンス１１は、第１枠１３の補強体としても機能する。この実施例では、天井壁４とフェンス面との上下間隔を１５ｃｍとした。
【００３４】
融雪作業時には、図１に示すごとく上流側に位置するグレーチング蓋９のみを起立開放して、雪投入口５に雪塊を投入する。このとき、投入された雪塊は落下防止柵１０で砕かれて細片化されるので、流水によって容易に融かすことができる。雪投入口５から投入した雪や、上流側から流れてきた雪が溝内に詰まると流水の水位が上がり、雪投入口５から溢れ出ようとする。
【００３５】
しかし、雪投入口５の真下から下流側にわたって浸漬フェンス１１を設けておくと、せきとめられた流水の水位が上昇するのに伴い、流水は浸漬フェンス１１の網体２８を通り抜けて迂回水路Ｇを下流側へ流下するので、流水が雪投入口５から溢れ出ることはない。流水の表層に浮かんでいた雪は、浸漬フェンス１１の下面へもぐり込み、流水中に押さえ込まれるので、その表面全体が流水に晒されて融けやすくなる。このとき浸漬フェンス１１に作用する雪の浮力は、蓋枠８およびグレーチング蓋９の重量によって受け止められており、浸漬フェンス１１が押し上げられることはない。
【００３６】
図６および図７に本発明に係る溝蓋構造の実施例２を示す。そこでは、浸漬フェンス１１を第１枠１３に前後スライド可能に支持して、雪投入口５の真下の溝底を清掃するような場合に浸漬フェンス１１のほぼ全体を天井壁４の下方へ格納できるようにしてある。
【００３７】
そのために、図７に示すように浸漬フェンス１１の取付ブラケット２９に水平腕３４を固定し、水平腕３４に前後方向に長いスライド溝３５を前後一対ずつ形成する。このスライド溝３５を介して第１枠１３の支持ブラケット３１にねじ込んだボルト３３で浸漬フェンス１１を支持することにより、浸漬フェンス１１は、図６の想像線で示すようにそのフェンス面の前半部が落下防止柵１０の下面を覆う使用姿勢と、図６の実線で示すようにフェンス面の殆どが暗渠４の下面側へもぐり込む開放姿勢とにスライド変位できる。使用位置においてボルト３３を完全にねじ込むことにより、下流側のグレーチング蓋９の下面を覆う状態で、浸漬フェンス１１を第１枠１３に固定できる。他は先の実施例１と同じであるので、同じ部材に同じ符号を付してその説明を省略する。
【００３８】
図８はグレーチング蓋９の開閉構造を変更した実施例３を示す。そこでは、一対のグレーチング蓋９・９のそれぞれが、第２枠１４の左右の一方の長辺部に沿って設けた１個の揺動軸１８を介して開閉揺動可能に支持されており、両グレーチング蓋９・９を同じ向きに開閉できるようになっている。
【００３９】
上記以外に落下防止柵１０は、第１枠１３に固定した柵受ブラケット２４にボルトで締結固定することができ、この場合には、落下防止柵１０を第１枠１３に確りと固定して、雪投入時に落下防止柵１０ががたついたり、意に反して開放揺動するのを確実に防止できる。
【００４０】
落下防止柵１０は線材を組んで構成する必要はなく、グレーチング蓋９と同様に、板材や棒材を格子状に組んで形成することができる。必要があれば、浸漬フェンス１１を同様にして構成することができる。
【００４１】
上記の実施例では、融雪溝１をコンクリート製の暗渠型の側溝ブロック２で構築したが、その必要はなく、上面が開口する一般的な側溝ブロック２と、その上面を塞ぐコンクリート製の蓋体（暗渠）とで融雪溝１を構成してもよい。本発明の溝蓋構造は、既存の融雪溝１に適用でき、その場合には、雪投入口５の開口面の大きさに合わせて蓋枠８を形成すればよい。
【図面の簡単な説明】
【図１】グレーチング蓋を開放した状態での溝蓋構造の縦断側面図である。
【図２】図１におけるＡ−Ａ線断面図である。
【図３】グレーチング蓋を開放した状態での溝蓋構造の平面図である。
【図４】溝蓋構造における各仕切り部材の支持構造を示す縦断正面図である。
【図５】図３におけるＢ部の拡大断面図である。
【図６】浸漬フェンスの別の支持構造を示す実施例２の縦断側面図である。
【図７】図６における浸漬フェンスの別の支持構造を示す斜視図である。
【図８】グレーチング蓋の別の開閉構造を示す実施例３の平面図である。
【図９】従来の融雪溝を示す概略斜視図である。
【図１０】従来の別の融雪溝を示す概略斜視図である。
【符号の説明】
４　暗渠
５　雪投入口
７　蓋受段部
８　蓋枠
９　グレーチング蓋
１０　落下防止柵
１１　浸漬フェンス
１３　蓋枠の第１枠
１４　蓋枠の第２枠
１８　揺動軸
２４　柵受ブラケット
２８　網体
２９　ブラケット
３３　ボルト
３５　スライド溝
【図１】
2004044279.tif 000003
【図２】
2004044279.tif 000004
【図３】
2004044279.tif 000005
【図４】
2004044279.tif 000006
【図５】
2004044279.tif 000007
【図６】
2004044279.tif 000008
【図７】
2004044279.tif 000009
【図８】
2004044279.tif 000010
【図９】
2004044279.tif 000011
【図１０】
2004044279.tif 000012